(57)【要約】【課題】  自己診断機能により診断された診断結果に異常がある場合には、異常があることを一目瞭然で判るようにして診断結果を印字出力するようにしたプリンタ装置を提供すること。【解決手段】  自己診断機能により診断された診断結果を記憶手段に記憶させる機能を備えたプリンタ装置において、診断結果を外部に出力することを指定する指定手段１７ａ、１７ｂと、この指定手段により前記診断結果を外部に出力することが指定されると、診断結果を印字出力すると共に、ＲＡＭ１３に記憶された診断結果と予め設定されている基準値とを比較し、診断結果に異常なデータがあると検出されると診断結果の印字出力に異常を示す印字行う印字手段１２とを具備した。【選択図】      図１
2005225095.tif 000002
【特許請求の範囲】
【請求項１】
自己診断機能により診断された診断結果を記憶手段に記憶させる機能を備えたプリンタ装置において、
前記診断結果を外部に出力することを指定する指定手段と、
この指定手段により前記診断結果を外部に出力することが指定されると、前記診断結果を印字出力すると共に、前記記憶手段に記憶された診断結果と予め設定されている基準値とを比較し、前記診断結果に異常なデータがあると検出されると前記診断結果の印字出力に異常を示す印字を行う印字手段とを具備したことを特徴とするプリンタ装置。  
【請求項２】
前記指定手段に前記診断結果を外部に出力することが指定されると、前記診断結果を表示出力すると共に、前記記憶手段に記憶された診断結果と予め設定されている基準値とを比較され、前記診断結果に異常なデータが検出されると前記診断結果の表示出力に異常を示す表示を行う表示手段を更に具備したことを特徴とする請求項1記載のプリンタ装置。
【発明の詳細な説明】
【技術分野】
【０００１】
本発明は、自己診断機能により診断された診断結果に異常がある場合には、異常があることを一目瞭然で判るようにして診断結果を印字出力するようにしたプリンタ装置に関する。
【背景技術】
【０００２】
プリンタの印字制御情報のデフォルト値の設定を短時間で行うようにしたプリンタが知られている（特許文献１参照）。
【０００３】
また、プリンタが有する自己判断機能により、プリンタを診断し、センサーレベル情報や、ヘッド断線情報等の診断結果を記憶部に設定するようにしている。そして、この記憶部に設定された診断結果を印字出力させ、診断結果と基準値とを目視により確かめることにより異常を検出するようにしている。
【特許文献１】特許第２７３９００６号
【発明の開示】
【発明が解決しようとする課題】
【０００４】
しかしながら、目視により診断結果と基準値とを確かめると、チェック漏れが生じる可能性がある。また、基準値を印刷した書類が別に必要であり、このような用意をすることが煩雑であった。
【０００５】
本発明は上記の点に鑑みてなされたもので、その目的は、自己診断機能により診断された診断結果に異常がある場合には、異常があることを一目瞭然で判るようにして診断結果を印字出力するようにしたプリンタ装置を提供することにある。
【課題を解決するための手段】
【０００６】
本発明は、自己診断機能により診断された診断結果を記憶手段に記憶させる機能を備えたプリンタ装置において、前記診断結果を外部に出力することを指定する指定手段と、  この指定手段により前記診断結果を外部に出力することが指定されると、前記診断結果を印字出力すると共に、前記記憶手段に記憶された診断結果と予め設定されている基準値とを比較し、前記診断結果に異常なデータがあると検出されると前記診断結果の印字出力に異常を示す印字行う印字手段とを具備したことを特徴とする。
【発明の効果】
【０００７】
本発明によれば、自己診断機能により診断された診断結果に異常がある場合には、異常があることを一目瞭然で判るようにして診断結果を印字出力するようにしたので、異常があった場合にはその異常を見過ごすことを無くすことができる。
【発明を実施するための最良の形態】
【０００８】
以下図面を参照して本発明の一実施の形態に係わるプリンタ装置について説明する。以下図面を参照して本発明の一実施の形態について説明する。図１において、１１は本ポータブルプリンタを統括して制御するＣＰＵ（中央処理装置）である。このＣＰＵ１１からのシステムバス１１ａにはフラッシュＲＯＭ（リード・オンリ・メモリ）１２、ＲＡＭ（ランダム・アクセス・メモリ）１３、モータドライバ１４、ヘッド制御装置１５、断線チェック回路１６、電源スイッチ１７ａ、Ｆｅｅｄキー１７ｂ、ＬＥＤ１８、通信Ｉ／Ｆ１９、各種センサ２０、電池電圧検出回路２１が接続されている。
【０００９】
フラッシュＲＯＭ１２には自己診断処理を行うプログラムの他図３のフローチャートに示す自己診断結果を印字する制御プログラムが記憶されている。ＲＡＭ１３には、断線チェック回路１６で検出された断線情報、各種センサ２０で検出されたセンサ出力情報、これらセンサ出力情報の基準値等が記憶されると共に、各種作業領域が設けられている。
【００１０】
モータドライバ１４は用紙を搬送するためのモータ（図示しない）を駆動する。
【００１１】
ヘッド制御装置１５はサーマルヘッド３１への通電制御を行う。
【００１２】
断線チェック回路１６はサーマルヘッド３１を構成する発熱素子の断線をチェックする。この断線チェック回路１６にはヘッド制御装置１５が接続されている。
【００１３】
電池電圧検出回路２１は２次電池３２で電池電圧Ｅを検出する。この２次電池３２から出力される電池電圧Ｅはレギュレータ３３を介して安定化された後、本ポータブルプリンタの各素子に電源として供給される。この各素子への電池電圧Ｅの供給は、電源スイッチ１７を介して行われる。この電源スイッチ１７は機械的及びソフト的にオン・オフされる。ソフト的とは本ポータブルプリンタの制御信号によりオン・オフされることを意味する。
【００１４】
通信Ｉ／Ｆ１９は本ポータブルプリンタとホストコンピュータとの通信を行うためのインタフェースである。
【００１５】
次に、図２を参照して本ポータブルプリンタの断面図について説明する。図において、４１はプリンタ本体で、このプリンタ本体４１の一面には開口面４２が形成され、この開口面４２の一端にはこの開口面４２を開閉するカバー３が支点軸４４により回動自在に保持されている。プリンタ本体４１にはロール状に巻回された長尺紙４５を転動自在に収納する収納部であるホッパ４６が形成されている。
【００１６】
また、前記プリンタ本体４１には前記ホッパ４６の底部から前記開口面４２に向けて延出する用紙ガイド４７が設けられ、この用紙ガイド４７の開口面４２に近い部分には、回転自在のプラテン４８と、このプラテン４８の長手方向に沿うラベル剥離体４９とが配設されている。さらに、プリンタ本体４１には２次電池３２が着脱自在に設けられている。
【００１７】
そして、前記カバー４３の内面に固定されたヘッド支持体５１には、印字ヘッドであるサーマルヘッド３１が板ばね５３により一方向に付勢されて支軸５４を中心に回動自在に保持されている。また、カバー４３の自由端側の両側には、スプリング５５により一方向に付勢されてピンチローラ５６を回転自在に支承する軸受５７が変位自在に設けられている。さらに、カバー５３には、サーマルヘッド３１とピンチローラ５６との間に配置されて前記ラベル４５ｂを排出させるラベル排出口５８と、指をかけて把手の役を果たす凹部５９と、前記ホッパ４６内の長尺紙４５の浮きを押える紙押え６０とが形成されている。このようなカバー４３の長さはプリンタ本体４１の開口面４２の長さよりも短いもので、したがって、カバー４３を閉じた状態では、カバー４３の自由端と開口面４２の端部
との間に前記台紙４５ａを排出させる台紙排出口６１が形成される。また、ラベル剥離体４９の中心はラベル排出口５８の中心に略一致する。そして、このラベル剥離体４９の中心から支点軸４４の中心までの距離は、サーマルヘッド３１のラベル排出口５８側の先端から支点軸４４の中心までの距離よりもやや長く、且つ、プラテン４８とピンチローラ５６との接触部から支点軸４４の中心までの距離よりもやや短い距離に定められている。
【００１８】
次に、上記のように構成された本発明の一実施の形態の動作について図面を参照して説明する。診断結果を外部に出力することを指定する指定手段としてＦｅｅｄキー１７ｂを押しながら電源スイッチ１７をオンすると、図３のフローチャートに示し処理が開始される。ＲＡＭ１３から自己診断プログラムにより設定された断線情報や各種センサ２０で検出されたセンサ出力情報とそれらの基準値とが比較されて、異常があるかどうかが判定される。そして、異常がない場合には、図４に示すように断線情報や各種センサ２０で検出されたセンサ出力情報が印字出力される。
【００１９】
一方、断線情報や各種センサ２０で検出されたセンサ出力情報に一つでも異常があると検出された場合には、図5に示すように断線情報や各種センサ２０で検出されたセンサ出力情報が印字出力されると共に、その印字全体に亘って斜線が印字される。これにより、自己診断結果に異常があったことがオペレータに知らせることができる。つまり、一目瞭然に自己診断結果に異常があったことを知らせることができる。この実施の形態では、『ＳＥＮＳ  Ｔ：１．２』が正常であるのに対して、『４．２』と異常な数値を示している。
【００２０】
この斜線表示を見てオペレータは電源スイッチ１７ａを操作して電源をオフされる。そして、自己診断結果の印字出力に斜線があるかを見て確かめる。もし、印字結果に斜線がある場合には、そのセンサのチェックを行って再度Ｆｅｅｄキー１７ｂを押しながら電源スイッチ１７をオンする。オペレータは、自己診断結果に異常がない、自己診断結果に斜線が入っていないと判定されると、処理が終了される。
【００２１】
なお、上記実施の形態では自己診断結果に異常があった場合には斜線を印字するようにしたが、斜線に限るものではなく、一目瞭然に異常が分かるのであれば斜線でなくても良い。
【００２２】
また、上記した実施の形態では、自己診断結果を印字出力するようにしたが、表示部を設けておき、その自己診断結果を表示出力するようにしても良い。さらに、通信Ｉ／Ｆ１９を介してインターネットのような通信回線に接続しておき、インターネットに接続されるコンピュータの表示画面に表示させるようにしても良い。
【００２３】
さらに、上記した実施の形態では、Ｆｅｅｄキー１７ｂを押しながら電源スイッチ１７をオンすると、図３のフローチャートの処理を開始させるようにしたが、これに限るものではない。
【００２４】
また、通信Ｉ／Ｆ１９を介して図３のフローチャートの処理を開始させるコマンドが入力し、このコマンドが入力されると図３のフローチャートの処理を開始するようにしても良い。この際の通信インタフェースとしては、有線であればRS-232C、セントロニクス、LAN、無線ではIrDA、無線LAN、Bluetooth等が考えられる。
【図面の簡単な説明】
【００２５】
【図１】本発明の一実施の形態に係わるプリンタ装置の構成を示すブロック図。
【図２】同プリンタ装置の要部断面図。
【図３】同実施の形態の動作を説明するためのフローチャート。
【図４】印字状態を示す図。
【図５】印字状態を示す図。
【符号の説明】
【００２６】
１１…ＣＰＵ、１２…フラッシュＲＯＭ、１３…ＲＡＭ、１６…断線チェック回路１６、１７ａ…電源スイッチ、１７ｂ…Ｆｅｅｄキー。
【図１】
2005225095.tif 000003
【図２】
2005225095.tif 000004
【図３】
2005225095.tif 000005
【図４】
2005225095.tif 000006
【図５】
2005225095.tif 000007